(57)【要約】　　　（修正有）【課題】通信手段を有する電子機器に装着しても、電磁波妨害（ＥＭＩ）の影響により誤作動することのない携帯型通信装置及び磁気記録装置を提供する。【解決手段】走査手段９により記録媒体８に対してデータをリード／ライトするリード／ライト手段とを備えた磁気記録装置５と、無線送信に際し磁気記録装置５におけるデータのリード／ライト動作を中断させる機能を有する主制御部４とを有し、携帯型通信装置の無線送信動作と磁気記録装置のリード／ライト動作が同時に行なわれないようにすることにより、無線送信時のＥＭＩの増大による磁気記録装置の誤作動を防止することができる。【選択図】　図１
2004040590.tif 000002
【特許請求の範囲】
【請求項１】
記録媒体上に書き込まれたサーボ情報を走査手段により取得するサーボ情報取得手段と、取得したサーボ情報に基づき前記記録媒体上の目標位置へ前記走査手段を移動させるサーボ制御手段と、前記走査手段により前記記録媒体に対しデータを読み書きする読み書き手段とを備えた磁気記録装置と、無線送信に際し前記磁気記録装置におけるデータの読み書き動作を中断させる主制御部とを有することを特徴とする携帯型通信装置。
【請求項２】
前記磁気記録装置が読み書き動作中、前記主制御部は無線送信をさせない機能を有することを特徴とする請求項１記載の携帯型通信装置。
【請求項３】
前記磁気記録装置を着脱自在に装備する機能を有することを特徴とする請求項１または２記載の携帯型通信装置。
【請求項４】
請求項１に記載の携帯型通信装置に用いる、前記磁気記録装置であつて、読み書き動作の中断時の最後のアドレスを保存し、読み書き動作の再開時には前記最後のアドレスに続くアドレスから読み書き動作を続行させる磁気ディスク制御部を有することを特徴とする磁気記録装置。
【請求項５】
前記磁気ディスク制御部は、読み書き動作中、前記携帯型通信装置から読み書き中断の要求を受けたとき、任意の記録単位の読み書き動作が終了するまでは読み書き動作を中断せず、前記携帯型通信装置に対し送信許可を発行しない機能を有することを特徴とする請求項４記載の磁気記録装置。
【請求項６】
前記磁気ディスク制御部は、前記携帯型通信装置の送信時には、前記走査手段に対する電流供給を遮断し、前記携帯型通信装置の送信終了時に、前記走査手段に対する電流供給を再開する機能を有することを特徴とする請求項４記載の磁気記録装置。
【請求項７】
前記磁気ディスク制御部は、前記携帯型通信装置の送信時には、前記走査手段を前記磁気記録媒体上から退避させ、前記携帯型通信装置の送信終了時に前記走査手段を前記磁気記録媒体上に復帰させる機能を有することを特長とする請求項４記載の磁気記録装置。
【請求項８】
記録媒体上に書き込まれたサーボ情報を走査手段により取得し、取得したサーボ情報に基づき前記記録媒体上の目標位置へ前記走査手段を移動し、移動した前記走査手段により前記記録媒体に対しデータを読み書きし、無線送信に際し前記磁気記録装置におけるデータの読み書き動作を中断し、無線送信の終了後にデータの読み書き動作を続行する各工程を有することを特徴とする携帯型通信装置の制御方法。
【発明の詳細な説明】
【０００１】
【発明の属する技術分野】
本発明は、磁気記録装置に関し、特に、携帯電話等の無線通信手段を備えた携帯型通信装置に内蔵または装着して使用される磁気記録装置に関する。
【０００２】
【従来の技術】
近年、携帯型通信装置や携帯情報端末等の無線通信手段を備えた電子機器には、文字データ、画像／映像データ及び音楽データ等を記録するために、内蔵もしくは脱着可能な記録装置が使用されるようになってきた。これらの電子機器は、年々高音質、高画質のデータを扱うようになっており、それに伴い記録装置の記録容量も増加の一途を辿っている。
【０００３】
しかし、上記のような電子機器で使用される記録装置としては、現在主に半導体メモリが使われているが、半導体メモリは高価格であるため、今後求められる大容量の記録装置として半導体メモリを使用することは困難である。他方、より大容量な記録装置としては、ハードディスク等の磁気記録装置がある。磁気記録装置は半導体メモリに比べて安価であり、今後、小型の磁気記録装置が携帯型通信装置等の電子機器に使用されることが考えられる。
【０００４】
【発明が解決しようとする課題】
しかしながら、携帯型通信装置や携帯情報端末などのように通信手段を備えた電子機器に内蔵もしくは装着して磁気記録装置を使用する場合、通話やデータ通信の送信時において、通信手段から発生する電磁波妨害（以下、ＥＭＩという）の影響により、磁気記録装置が記録メディア上の情報を正しく読み取れず、誤作動してしまうという問題があった。そこでＥＭＩを遮断する技術としては、例えば特開２０００−１１６２５号公報に開示されているような電磁波遮蔽素材を用いて磁気記録装置を覆うという方法がある。しかしこの方法では、装置全体が大型となり、磁気ディスク装置の小型化を図らねばならない携帯型通信装置等の場合にはそれが障害となる。
【０００５】
本発明は、上記従来の問題を解決するためになされたもので、通信手段を有する電子機器に内蔵もしくは装着して使用される場合でも、ＥＭＩの影響を受けて誤作動することのない携帯型通信装置及びそれを使用する磁気記録装置を提供するものである。
【０００６】
【課題を解決するための手段】
本発明における携帯型通信装置は、記録媒体上に書き込まれたサーボ情報を走査手段により取得するサーボ情報取得手段と、取得したサーボ情報に基づき前記記録媒体上の目標位置へ前記走査手段を移動させるサーボ制御手段と、前記走査手段により前記記録媒体に対しデータを読み書きする読み書き手段とを備えた磁気記録装置と、無線送信に際し前記磁気記録装置におけるデータの読み書き動作を中断させる主制御部とを有するという構成を有している。この構成により、携帯型通信装置の無線送信動作と磁気記録装置の読み書き動作を管理して同時に行なわれないようにすることにより、無線送信時のＥＭＩの増大による磁気記録装置の誤作動を防止することができる。
【０００７】
本発明における携帯型通信装置は、前記磁気記録装置が読み書き動作中、前記主制御部は無線送信をさせない機能を有するという構成を有している。この構成により、磁気記録装置が無線送信により発生するＥＭＩの影響を受けないことを保証する。
【０００８】
本発明における携帯型通信装置は、前記磁気記録装置を着脱自在に装備する機能を有するという構成を有している。この構成により、異なる内容の複数の記録ディスクを装着して利用できることにより、記録ディスクの利用の利便性を拡大することができる。
【０００９】
本発明における磁気記録装置は、請求項１に記載の携帯型通信装置に用いる、前記磁気記録装置であって、読み書き動作の中断時の最後のアドレスを保存し、読み書き動作の再開時には前記最後のアドレスに続くアドレスから読み書き動作を続行させる磁気ディスク制御部を有するという構成を有している。この構成により、無線送信により読み書き動作が中断されても、無線送信終了後に読み書き動作を引続き再開することができる。
【００１０】
本発明における磁気記録装置は、前記磁気ディスク制御部が、読み書き動作中、前記携帯型通信装置から読み書き中断の要求を受けたとき、任意の記録単位の読み書き動作が終了するまでは読み書き動作を中断せず、前記携帯型通信装置に対し送信許可を発行しない機能を有するという構成を有している。この構成により、記録単位の途中で読み書き動作が中断されることによるデータの破壊や、再読み書き動作による遅延を防ぐことができる。
【００１１】
本発明における磁気記録装置は、前記磁気ディスク制御部が、前記携帯型通信装置の送信時には、前記走査手段に対する電流供給を遮断し、前記携帯型通信装置の送信終了時に、前記走査手段に対する電流供給を再開する機能を有するという構成を有している。この構成により、無線送信時の磁気記録装置の電力消費を削減し、省電力効果を得ることができる。
【００１２】
本発明における磁気記録装置は、前記磁気ディスク制御部が、前記携帯型通信装置の送信時には、前記走査手段を前記磁気記録媒体上から退避させ、前記携帯型通信装置の送信終了時に前記走査手段を前記磁気記録媒体上に復帰させる機能を有するという構成を有している。この構成により、携帯型通信装置が衝撃を受けることによる磁気記録装置の破壊を防ぐことができる。
【００１３】
本発明における携帯型通信装置制御方法は、記録媒体上に書き込まれたサーボ情報を走査手段により取得し、取得したサーボ情報に基づき前記記録媒体上の目標位置へ前記走査手段を移動し、移動した前記走査手段により前記記録媒体に対しデータを読み書きし、無線送信に際し前記磁気記録装置におけるデータの読み書き動作を中断し、無線送信の終了後にデータの読み書き動作を続行する各工程を有するという構成を有している。この構成により、携帯型通信装置の無線送信動作と磁気記録装置の読み書き動作を管理して同時に行なわれないようにしたことにより、無線送信時のＥＭＩの増大による磁気記録装置の誤作動を防止することができる。
【００１４】
【発明の実施の形態】
以下、添付図面に基づき、本発明の第１および第２の実施の形態を詳細に説明する。
まず、図１の携帯型通信装置１および携帯型通信装置１に含まれる図２の磁気記録装置５を参照して、本発明の第１の実施の形態における携帯型通信装置１および磁気記録装置５の構成を説明する。
図１に示す携帯型通信装置１は、電話部３、主制御部４および磁気記録装置５に対して電力を供給する電源部２と、電話部３と、入力部７の指示により電話部３や磁気記録装置５の動作を制御する主制御部４と、主制御部４の制御により文字データ、画像データおよび音楽データ等を記録する磁気記録装置５と、文字データや画像データを表示する表示部６と、使用者が携帯型通信装置１に対する指示を入力する入力部７とを備える。
【００１５】
また、図２に示す磁気記録装置５は、磁気記録媒体としての磁気ディスク８と、磁気ディスク８を読み書き（リードまたはライト、以下同じ）するヘッド９と、磁気ディスク８の記録面に対向して取り付けられたヘッド９を移動するボイスコイルモータ（ＶＣＭ）１０と、ヘッド９により磁気ディスク８から読み出された（リードともいう）データを増幅して出力し、磁気ディスク８に書き込む（ライトともいう）データをヘッド９に送る信号増幅器１１と、ヘッド９の位置制御など磁気記録装置５全体の動作を制御する磁気ディスク制御部１２と、読み出しデータを復調し書き込みデータを変調する読み書きチャネル（Ｒ／Ｗチャネルともいう）１３と、バッファメモリ１４と、磁気ディスク８を回転させるスピンドルモータ（ＳＰＭともいう）１６と、スピンドルモータ１６を制御するモータ制御部１５とを備えて構成される。なお、ヘッド９とボイスコイルモータ（ＶＣＭ）１０と磁気ディスク制御部１２と、読み書きチャネル１３とにより読み書き手段を構成する。
【００１６】
次に、図１および図２を参照して、本発明の第１の実施の形態における携帯型通信装置１および磁気記録装置５の内部構成の各構成要素の詳細な構成および機能を説明する。
電源部２は、電話部３、主制御部４および磁気記録装置５に対して電力を供給する電源装置で、充電型バッテリーなどが使用される。
表示部６は、ＬＣＤ等で構成され、主制御部４が指示する文字データや画像データを表示する。入力部７は数字や文字を入力するためのキーデバイスであり、使用者が携帯電話機１に対する指示を入力し、その指示に応じて主制御部４が電話部３および磁気記録装置５を動作させる。
磁気記録装置５は、電源部２からの電力の供給を受け、主制御部４からの制御信号ＳＩＧ１の指示により動作し、文字データ、画像データおよび音楽データ等の他、携帯型通信装置で使用するアドレスなどの管理データを記録する。
【００１７】
ここで、図３を参照して、磁気記録媒体としての磁気ディスク８を詳細に説明する。図３に示す磁気ディスク８はその記録面の一部を拡大して示したものであり、磁気ディスク８の記録面上は、同心円状の複数のトラックに区分されている。各トラックは複数のデータ領域に区分されており、１つのデータ領域をセクタ１８（記録単位）と呼ぶ。各トラック上には、ヘッド９の位置決めの際に必要な複数のサーボ情報領域１９が放射状に所定の間隔で配置されている。また、各セクタ１８はサーボ情報領域１９によりトラックを分割した単位であり、各サーボ情報領域１９の中には、そこのセクタ１８のアドレスや、トラック番号及びトラック内の位置誤差を計算するためのバーストデータなどが含まれている。
【００１８】
図２において、磁気ディスク８の記録面上には、磁気ディスク８の記録面に対向してヘッド９が取り付けられ、ボイスコイルモータ１０の駆動により、磁気ディスク８の半径方向に移動する。これにより、ヘッド９は所定のトラック上に位置決めされる。ヘッド９は、所定のトラック上に位置決めされた後、磁気ディスク８の回転動作により、そのトラック上を走査する。ヘッド９は、走査により、位置決めされたトラック上のサーボ情報領域１９に含まれているサーボ情報を順に取得する。また、ヘッド９は、走査により、各セクタ１８に対しデータの読み書きを行なう。読み出し時には、取得したサーボ情報および読み出しデータは、信号増幅器１１に送られ、書き込み時には、信号増幅器１１からヘッド９に送られたデータがヘッド９によりセクタ１８に書き込まれる。
【００１９】
また、磁気ディスク制御部１２は、ＣＰＵ、ＲＯＭ、ＲＡＭ、ホストインタフェース制御部およびディスク制御部から構成され、電源部２から電力の供給を受けて磁気記録装置５全体の動作を制御する。ＣＰＵはＲＯＭに格納されているファームウェアを用いて、読み書き制御のため、Ｒ／Ｗチャネル１３、携帯型通信装置１の主制御部４に所定の信号を送る。例えば、読み出しデータは信号増幅器１１からＲ／Ｗチャネル１３に送られ、そこで復調される。復調後のデータは、磁気ディスク制御部１２のホストインタフェース制御部を介して、携帯型通信装置１の主制御部４に順に送られる。逆に携帯型通信装置１から送られてきた書き込みデータは、ホストインタフェース制御部を介してＲ／Ｗチャネル１３に順に送られる。読み書きデータを効率よく管理するために、バッファメモリ１４を使用する。また、磁気ディスク制御部１２は、携帯型通信装置１に対して、現在のヘッド９の状態、例えば、読み出し状態、書き込み状態、待機状態または停止状態等を通知する。ここで、ヘッド９の待機状態とは、磁気記録装置５が磁気ディスク８に対して読み書きを行なっていない状態をいう。
【００２０】
さらに、磁気ディスク制御部１２は、ヘッド９の位置制御のため、モータ制御部１５に所定の信号を送る。例えば、磁気ディスク制御部１２は、信号増幅器１１から制御信号ＳＩＧ３として送られてきたサーボ情報からトラック情報、セクタ情報、バースト情報を取り出して解析し、ヘッド９の現在位置を検出する。所望のデータを読み書きするためのヘッド９の目標位置と現在位置の差を元に、ヘッド９の制御信号を生成し、制御信号ＳＩＧ４としてモータ制御部１５に送る。モータ制御部１５は、磁気ディスク制御部１２からの制御信号に従い、ＶＣＭ１０に供給する電流を決定し、制御信号ＳＩＧ５としてＶＣＭ１０に送る。ヘッド９はＶＣＭ１０の駆動により、所定の位置に位置決めされる。また、モータ制御部１５は、ディスク８の回転速度を制御するため、磁気ディスク制御部１２からの制御信号に従い、スピンドルモータ１６に供給する電流を決定し、制御信号ＳＩＧ６として、スピンドルモータ１６に送る。
【００２１】
次に、図１に示す電話部３について説明する。電話部３は、無線による送信／受信を行なうブロックであり、アンテナ、アンテナ共用器、受信部、送信部、変復調処理部、音声処理部、スピーカおよびマイクロホンから構成され、電源部２から電力の供給を受ける。まず、受信時の動作について説明する。アンテナにより受信された信号を、アンテナ共用器を介して受信部で受け取る。次に、受信信号は変復調処理部に供給され、復調、フィルタリング等の処理が受信信号に対して行われる。復調された受信信号が音声信号だった場合は、変復調処理部からの受信音声信号が音声処理部に供給され、周波数特性の補正、増幅などの処理を受けてスピーカに供給される。また、復調された受信信号が音声信号以外の例えば文字データや画像データだった場合は、主制御部４に対し制御信号ＳＩＧ２として通知し、主制御部４内部のメモリまたは磁気記録装置５に保存される。
【００２２】
次に、送信時の動作について説明する。通話時には、マイクロホンの出力が音声処理部を介して変復調処理部に供給される。画像データや音楽データを送信する場合は、磁気記録装置から読み出したデータを主制御部４を介して逐次、もしくは主制御部４内のＲＡＭでバッファリングを行ってから変復調処理部に供給する。そして、変復調処理部からの変調出力が送信部に供給される。この時、制御信号ＳＩＧ２により主制御部４に対し送信を行なうことを通知し、主制御部４の許可後、送信部からの送信信号がアンテナ共用器を介してアンテナに供給され、無線送信が行われる。
主制御部４は、ＣＰＵ、ＲＯＭ、ＲＡＭ、磁気記録装置５とのインタフェースから構成され、電源部２から電力の供給を受けて、電話部３、表示部６および磁気記録装置５の制御を行なう。
【００２３】
次に、図１を参照して、本実施の形態における電話部３の実際の処理の流れについて説明する。まず、入力部７におけるキー操作により、主制御部４内のＲＯＭから一連の制御プログラムを取り出して実行する。キー操作の内容が通話であった場合は、電話部３に対して送信または受信設定を行い、電話部３から送信許可要求が来た時に、磁気記録装置５が読み書き動作中で無いことを確認し、電話部に対して送信を許可する。キー操作の内容が、磁気記録装置５に記録されている文字データ、画像データまたは音楽データの送受信である場合は、電話部３に対して送信もしくは受信モード制御やデータの供給を行なう。送信、受信結果や磁気記録装置５に格納されているデータなど、ユーザに通知する情報は、表示部６に表示する。
【００２４】
次に、図４に示すフローチャートを参照して、携帯型通信装置１の主制御部４の動作について説明する。まず、主制御部４は、電話部３から送信許可要求があったときは以下の動作を開始し（ステップＳ１）、また、磁気記録装置５に対し内部の状態の如何にかかわらず待機モードを設定する（ステップＳ２）。ここで、待機モードとは、磁気記録装置５が磁気ディスク８に対して読み書きを行なっていない状態を示す。磁気記録装置５の待機モード設定の完了まで待ち（ステップＳ３）、磁気記録装置５の待機モードの設定が完了すると、電話部３に対して送信許可を発行する（ステップＳ４）。次に、電話部３が送信完了するまで待ち（ステップＳ５）、電話部３が送信完了後、磁気記録装置５に対して待機モード解除を設定する（ステップＳ６）。このように、主制御部４は電話部３と磁気記録装置５の状態を管理し、電話部３の無線送信と磁気記録装置５の読み書き動作が同時に実行されないように制御する。
【００２５】
次に、図５に示すフローチャートを参照して、主制御部４の制御により磁気記録装置５に待機モードを設定した場合の磁気記録装置５の内部動作について説明する。例えば、ヘッド９の移動中に携帯型通信装置１が無線送信を行うと、ＥＭＩの増大によりヘッド９が信号を正しく読めないため位置決め制御が不安定になる。そこで、主制御部４はモータ制御部１５のモータドライバに対して、ＶＣＭ１０への電力供給の停止を指示して以下述べるように、待機モードを設定する。すなわち、磁気ディスク制御部１２は、主制御部４からの待機モードの設定があると、次のように、動作を開始する（ステップＳ２１）。次に、磁気記録装置５が読み書き中であるかどうかを確認する（ステップＳ２２）。磁気ディスク制御部１２は、読み書き状態を常に管理しており、読み書き中だった場合は、現在のターゲットセクタの読み書きが完了するまで待機する（ステップＳ２３）。ターゲットセクタへの読み書き完了後、次に読み書きする予定のターゲットセクタ情報（トラック番号、セクタアドレス）をＲＡＭに保存し（ステップＳ２４）、Ｒ／Ｗチャネルを停止する（ステップＳ２５）。そこで、モータ制御部１５はモータドライバに対して、ＶＣＭ１０への電力供給の停止を指示する。そのため、以降のＶＣＭ１０への電流は遮断され（ステップＳ２６）、読み書き処理は中断されて、待機モードに入る。
【００２６】
これにより、ヘッド９は、目標トラックへの位置決め制御からフリーとなり、ディスク８上に待機して、主制御部４に対し磁気記録装置５の待機完了を通知する（ステップＳ２７）。磁気記録装置５は、このように待機モードに設定されたことにより、携帯型通信装置１の送受信動作による影響を受けることはない。また、ＶＣＭ１０への電力供給を停止することにより、より低消費電力のシステムを実現できる。また、ここではＶＣＭ１０への電力遮断のみだが、さらにヘッド９をディスク８上から退避させる方法も可能である。これにより、物理的衝撃に対する耐性が向上するが、ヘッド９の退避及び復帰に伴い消費電力が増えるため、システムの要求に応じて選択する必要がある。
ステップＳ２２に戻り、読み書き中でなかった場合は、無線送信しても特に影響はないが、ヘッド９が磁気ディスク８上にある場合は（ステップＳ２８）、現在のターゲットセクタの情報をＲＡＭに保存した後（ステップＳ２９）、ＶＣＭ１０への電力供給を遮断するか、あるいはヘッド９をディスク８上から退避させる（ステップＳ３０）。以上の動作後、待機前の状態（読み書き中か、ヘッド９が磁気ディスク８上にあった状態）をＲＡＭに保存して（ステップＳ３１）、主制御部４に対して磁気記録装置５の待機完了を通知する（ステップＳ２７）。
【００２７】
次に、図６に示すフローチャートを参照して、携帯型通信装置１の無線送信が終了した場合における磁気記録装置５の待機前の状態へ復帰時の磁気ディスク制御部１２の動作について説明する。まず、主制御部４からの待機モード解除設定があると、以下の動作を開始する（ステップＳ３１）。次に、ＲＡＭから待機前の磁気記録装置５の状態を読み出し（ステップＳ３２）、待機前の状態が読み書き中であったかを確認する（ステップＳ３３）。読み書き中だった場合は、ＲＡＭ　から次に読み書きを行なうターゲットセクタの情報を読み出し（ステップＳ３４）、ＶＣＭ１０への電力供給も再開して、次のターゲットセクタへの位置決めを行なう（ステップＳ３５）。このとき、読み書き停止に伴い、ヘッド９を磁気ディスク８上から退避させていた場合は、磁気ディスク８上にヘッド９を戻す。位置決め完了後、Ｒ／Ｗチャネル１３を起動して（ステップＳ３６）、読み書き処理を開始する（ステップＳ３７）。これにより、通常の読み書き処理に復帰する。
【００２８】
次に、ステップＳ３３に戻り、待機前の状態が読み書き中でなかった場合の復帰処理について説明する。待機前にヘッド９が磁気ディスク上にあったかどうかをステップＳ３２で読み出した情報から確認する（ステップＳ３８）。ヘッド９が磁気ディスク上にあった場合は、ＲＡＭからヘッド９が待機前に位置決めしていたターゲットセクタの情報を読み出し（ステップＳ３９）、ＶＣＭ１０への電力供給を再開して、ターゲットセクタへの位置決めを行なう（ステップＳ４０）。
【００２９】
以上説明したように、携帯型通信装置１の電話部３による無線送信状態と磁気記録装置５の読み書き状態を管理することにより、無線送信に伴うＥＭＩの増大による磁気記録装置の誤動作を防止することができる。例えば、磁気記録装置に記録されている大量のデータを無線送信する場合にも、送信と磁気記録装置の読み出し動作を交互に行ない、送信中は読み出し動作を中断することにより本発明の実施の形態を実現することができる。
【００３０】
次に、図７を参照して、本発明の第２の実施の形態における携帯型通信装置および磁気記録装置の概略構成について説明する。
本発明の第１の実施の形態では磁気記録装置５を携帯型通信装置１に内蔵する場合について説明したが、第２の実施の形態では、図７に示すように、磁気記録装置２１を着脱可能な携帯型通信装置２０に磁気記録装置２１を着脱自在に装着するよう構成する。これにより、異なる内容の複数の記録ディスクを装着して利用できることになる。そのような場合でも、第１の実施の形態と同様の効果を期待することができ、また、磁気ディスクを複数枚用いる磁気記録装置についても同様の効果を実現することができる。
【００３１】
【発明の効果】
本発明における携帯型通信装置及び磁気記録装置は、上記のように構成され、特に、携帯型通信装置による無線送信動作と磁気記録装置の読み書き動作を同時に行わないようにしたことにより、無線送信時のＥＭＩの増大による磁気記録装置の誤作動を防止して、大容量磁気記録メディアの搭載を容易にすることができる。
【図面の簡単な説明】
【図１】本発明の第１の実施の形態における磁気記録装置を内蔵した携帯型通信装置の構成を示すブロック図、
【図２】図１に示す携帯型通信装置に内蔵される磁気記録装置の構成を示すブロック図、
【図３】本発明の実施の形態における磁気記録装置で使用される磁気ディスクの記録面の拡大説明図、
【図４】本発明の第１の実施の形態における携帯型通信装置の無線通信時における主制御部の動作を示すフローチャート、
【図５】本発明の第１の実施の形態における携帯型通信装置の無線通信開始に伴い磁気記録装置による読み書き動作の中断を示すフローチャート、
【図６】本発明の第１の実施の形態における携帯型通信装置の無線通信終了に伴い磁気記録装置による読み書き動作の再開を示すフローチャート、
【図７】本発明の第２の実施の形態における磁気記録装置を着脱自在に装備する携帯型通信装置の概略構成を示す斜視図。
【符号の説明】
１、２０　携帯型通信装置
２　電源部
３　電話部
４　主制御部
５、２１　磁気記録装置
６　表示部、
７　入力部
８　磁気ディスク
９　ヘッド
１０　ボイスコイルモータ
１１　信号増幅器、
１２　磁気ディスク制御部
１３　読み書きチャネル
１４　バッファメモリ、
１５　モータ制御部
１６　スピンドルモータ
１７　トラック
１８　セクタ
１９　サーボ情報領域
【図１】
2004040590.tif 000003
【図２】
2004040590.tif 000004
【図３】
2004040590.tif 000005
【図４】
2004040590.tif 000006
【図５】
2004040590.tif 000007
【図６】
2004040590.tif 000008
【図７】
2004040590.tif 000009